【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
ペーパータオル用の抗菌セルロースシートであって、
ａ）セルロースウェブと、
ｂ）軟化剤と抗菌剤とを含む移動可能なローション組成物であって、前記ローション組成物が、固体または半固体の形で前記セルロースウェブに固定化される、ローション組成物と、
を含み、
前記移動可能なローション組成物が、
ｉ）水と接触すると移動可能であって、該ローションが極性軟化剤と非極性軟化剤とさらにノニオン系界面活性剤組成物とを含み、マイクロエマルションローションが、室温で実質的に液状であり、該ローションエマルションが半固体または固体の形で前記ウェブに固定化されるように前記軟化剤および界面活性剤組成物が選択され、さらに前記ローションエマルションが、水と接触すると水性ゲルを形成可能である、ローション組成物、または、
ｉｉ）体熱が加えられると移動可能であって、該ローションが軟化剤を含み、約３７℃以上で約１０カロリー／グラムを超えるΔＨ、融点で約２５カロリー／グラム以上の全熱、および少なくとも約３０℃の溶融開始温度を有する、ローション組成物、
のいずれかより選択され、
ウェブに付加された前記移動可能なローション組成物が、少なくとも約２５％の水吸収速度の遅延をセルロースウェブにもたらす量で選択・付加されることを特徴とする抗菌セルロースシート。
【請求項２】
請求項１に記載の抗菌セルロースシートにおいて、前記ローションが、マイクロエマルションであって、実質的に無水のマイクロエマルションであることを特徴とする抗菌セルロースシート。
【請求項３】
請求項１または２に記載の抗菌セルロースシートにおいて、前記ローションが、
ｉ）プロピレングリコール、グリコール、グリセロール、ソルビトール、ジエチレングリコール、メチレングリコールおよびポリプロピレングリコールから選択される極性ポリヒドロキシ軟化剤を含む極性軟化剤と、
ｉｉ）芳香族または鎖式のエステル、ゲルベエステル、鉱油、スクワラン、スクワレンおよび流動パラフィンから選択される非極性軟化剤と、
を含むマイクロエマルションであることを特徴とする抗菌セルロースシート。
【請求項４】
請求項１，２または３のいずれか１項に記載の抗菌セルロースシートにおいて、前記ローションが、主として、軟化剤と、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエートおよび約１０から約２０個の繰り返しエトキシ単位を有するエトキシ化メチルグルコースから選択されるノニオン系界面活性剤と、を含むことを特徴とする抗菌セルロースシート。
【請求項５】
請求項１，２または３のいずれか１項に記載の抗菌セルロースシートにおいて、前記ローションは、前記界面活性剤組成物がＣ12−Ｃ18脂肪アルコール、ベヘニルアルコール、イソ−セチルアルコール、およびイソ−ステアリルアルコールから選択される脂肪アルコール共界面活性剤を含むマイクロエマルションであることを特徴とする抗菌セルロースシート。
【請求項６】
請求項１，２または３のいずれか１項に記載の抗菌セルロースシートにおいて、ウェブに付加された前記移動可能なローション組成物が、少なくとも約７５％の水吸収速度の遅延をセルロースウェブにもたらす量で選択・付加されることを特徴とする抗菌セルロースシート。
【請求項７】
請求項１，２または３のいずれか１項に記載の抗菌セルロースシートにおいて、前記セルロースシートが、少なくとも約３．５ｇ／ｇのＳＡＴ値を有することを特徴とする抗菌セルロースシート。
【請求項８】
請求項１，２または３のいずれか１項に記載の抗菌セルロースシートにおいて、前記セルロースシートが、約３ｇ／ｇから約５ｇ／ｇのＳＡＴ値を有することを特徴とする抗菌セルロースシート。
【請求項９】
請求項１，２または３のいずれか１項に記載の抗菌セルロースシートにおいて、前記セルロースシートが、少なくとも約５０秒のＷＡＲ値を有することを特徴とする抗菌セルロースシート。
【請求項１０】
請求項１，２または３のいずれか１項に記載の抗菌セルロースシートにおいて、前記セルロースシートが、約５５秒から約７５秒のＷＡＲ値を有することを特徴とする抗菌セルロースシート。
【請求項１１】
請求項１，２または３のいずれか１項に記載の抗菌セルロースシートにおいて、前記移動可能なローションが、約３重量％から約２０重量％の量でセルロースウェブに付加されることを特徴とする抗菌セルロースシート。
【請求項１２】
請求項１，２または３のいずれか１項に記載の抗菌セルロースシートにおいて、ローション不付加のセルロースウェブが、約２５ｇ／ｍ2〜約５０ｇ／ｍ2の坪量を有することを特徴とする抗菌セルロースシート。
【請求項１３】
請求項１，２または３のいずれか１項に記載の抗菌セルロースシートにおいて、前記ローション組成物が、約０．０１重量％から約１０重量％の抗菌剤を含むことを特徴とする抗菌セルロースシート。
【請求項１４】
請求項１，２または３のいずれか１項に記載の抗菌セルロースシートにおいて、前記ローション組成物が、約０．０５重量％から約５重量％の抗菌剤を含むことを特徴とする抗菌セルロースシート。
【請求項１５】
２，４，４’−トリクロロ−２’−ヒドロキシジフェニルエーテル、３，４，４’−トリクロロカルバニリド、３，４，４’−トリフルオロメチル−４、４’−ジクロロカルバニリド、５−クロロ−２−メチル−４−イソチアゾリン−３−オン、ヨードプロピニルブチルカルバメート、８−ヒドロキシキノリン、８−ヒドロキシキノリンシトレート、８−ヒドロキシキノリンサルフェート、４−クロロ−３，５−キシレノール、２−ブロモ−２−ニトロプロパン−１，３−ジオール、ジアゾリジニルウレア、ブトコナゾール、ニスタチン、ターコナゾール、ニトロフラントイン、フェナゾピリジン、アシクロビル、クロルトリマゾール、クロロキシレノール、クロルヘキシジン、クロルヘキシジングルコネート、ミコナゾール、ターコナゾール、ブチルパラベン、エチルパラベン、メチルパラベン、メチルクロロイソチアゾリン、メチルイソチアゾリン、１，３−ビス（ヒドロキシメチル）−５，５−ジメチルヒダントインと３−ヨード−２−プロピニルブチルカルバメートの混合物、オキシキノリン、ＥＤＴＡ、ＥＤＴＡ四ナトリウム、ｐ−ヒドロキシル安息香酸エステル、アルキルピリジナム化合物、ココホスハチジルＰＧ−ジモニウムクロリド、クロルヘキシデンジグルコネート、クロルヘキシデンアセテート、クロルヘキシデンイソチアネート、クロルヘキシデンヒドロクロリド、ベンザルコニウムクロリド、ベンゼトニウムクロリド、ポリヘキサメチレンビグアニド、およびこれらの混合物から選択される抗菌剤を含むことを特徴とする請求項１，２または３のいずれか１項に記載の抗菌セルロースシート。
【請求項１６】
請求項１，２または３のいずれか１項に記載の抗菌セルロースシートにおいて、前記抗菌剤が、２，４，４’−トリクロロ−２’−ヒドロキシジフェニルエーテルであることを特徴とする抗菌セルロースシート。
【請求項１７】
請求項１，２または３のいずれか１項に記載の抗菌セルロースシートにおいて、前記抗菌剤が、ベンザルコニウムクロリドを含むことを特徴とする抗菌セルロースシート。
【請求項１８】
請求項１，２または３のいずれか１項に記載の抗菌セルロースシートにおいて、前記抗菌剤が、亜鉛塩を含むことを特徴とする抗菌セルロースシート。
【請求項１９】
請求項１，２または３のいずれか１項に記載の抗菌セルロースシートにおいて、前記ウェブが、湿潤強力剤を含むことを特徴とする抗菌セルロースシート。
【請求項２０】
請求項１，２または３のいずれか１項に記載の抗菌セルロースシートにおいて、湿潤強力剤が、アルデヒド含有のポリオール、アルデヒド含有のカチオン系デンプン、グリオキサール、グルタルアルデヒド、ジアルデヒド、ホウ酸カーボネート、ジルコニウムアンモニウムカーボネート、グリオキサール化ポリアクリルアミド、ポリアミド−エピクロロヒドリン、ポリアミン−エピクロロヒドリン、尿素−ホルムアルデヒド、メラミン−ホルムアルデヒド、ポリエチレンイミン、およびラテックスエマルションから選択されることを特徴とする抗菌セルロースシート。
【請求項２１】
請求項１，２または３のいずれか１項に記載の抗菌セルロースシートにおいて、前記ローションが、ローションエマルションの重量基準で約２％から約４０％の量の極性軟化剤を含むマイクロエマルションであることを特徴とする抗菌セルロースシート。
【請求項２２】
請求項１，２または３のいずれか１項に記載の抗菌セルロースシートにおいて、前記ローションが、ローションエマルションの重量基準で約１０％から約４０％の量の非極性軟化剤を含むマイクロエマルションであることを特徴とする抗菌セルロースシート。
【請求項２３】
請求項１，２または３のいずれか１項に記載の抗菌セルロースシートにおいて、前記ローションは、前記界面活性剤組成物がローションエマルションの重量基準で約４０％から約７０％の量の脂肪アルコールを含有するノニオン系界面活性剤を含むマイクロエマルションであることを特徴とする抗菌セルロースシート。
【請求項２４】
請求項１，２または３のいずれか１項に記載の抗菌セルロースシートにおいて、前記ローションは、前記界面活性剤組成物がＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、約１０から約２０個の繰り返しエトキシ単位を有するエトキシ化メチルグルコース、およびこれらの混合物から選択されるノニオン系界面活性剤を含むマイクロエマルションであることを特徴とする抗菌セルロースシート。
【請求項２５】
請求項１，２または３のいずれか１項に記載の抗菌セルロースシートにおいて、前記ローションは、前記界面活性剤組成物がＣ12−Ｃ18脂肪アルコール、ベヘニルアルコール、セチルアルコール、ステアリルアルコール、イソ−セチルアルコール、およびイソ−ステアリルアルコールから選択される共界面活性剤をローションエマルションの重量基準で約０．１％から約２０％の量で含むマイクロエマルションであることを特徴とする抗菌セルロースシート。
【請求項２６】
請求項１，２または３のいずれか１項に記載の抗菌セルロースシートにおいて、前記ローションは、前記共界面活性剤がセチルアルコール（Ｃ16）とステアリルアルコール（Ｃ18）との混合物であるマイクロエマルションであることを特徴とする抗菌セルロースシート。